(57)【要約】【課題】回転体の内周面に設けられた複数条の螺旋溝とノズルの後端部に設けられた複数の突起とが嵌合し、回転体の回転に伴ってノズルが進退移動するものにおいて、回転体とノズルとの位相合わせをより容易にする。【解決手段】局部洗浄装置は、内周面に複数条の螺旋溝を有する円筒状の回転体と、回転体に同軸に設けられた回転ギヤと、回転ギヤを回転させるモータと、回転体の内部に設けられ先端部に洗浄水を噴出可能な噴出口を有すると共に後端部に複数条の螺旋溝のうち対応する螺旋溝とそれぞれ嵌合する複数の突起を有し回転体の回転に伴って後方の収容位置と前方の進出位置との間で回転体の軸方向に沿って進退移動が可能なノズルと、を備える。複数条の螺旋溝のうち少なくとも１つの溝は、他の溝と断面形状が異なり、複数の突起は、それぞれ対応する螺旋溝の断面形状に応じた外形形状が与えられている。【選択図】図１１
2019148086.tif 000002
【特許請求の範囲】
【請求項１】
人体の局部を洗浄する局部洗浄装置であって、
内周面に複数条の螺旋溝を有する円筒状の回転体と、
前記回転体に該回転体と同軸に設けられた回転ギヤと、
前記回転ギヤを回転させるモータと、
前記回転体の内部に設けられ、先端部に洗浄水を噴出可能な噴出口を有すると共に後端部に前記複数条の螺旋溝のうち対応する螺旋溝とそれぞれ嵌合する複数の突起を有し、前記回転体の回転に伴って後方の収容位置と前方の進出位置との間で該回転体の軸方向に沿って進退移動が可能なノズルと、
を備え、
前記複数条の螺旋溝のうち少なくとも１つの溝は、他の溝と断面形状が異なり、
前記複数の突起は、それぞれ前記対応する螺旋溝の断面形状に応じた外形形状が与えられている、
局部洗浄装置。
【請求項２】
請求項１に記載の局部洗浄装置であって、
前記複数条の螺旋溝のうち少なくとも１つの溝は、他の溝と溝幅が異なり、
前記複数の突起のうち前記少なくとも１つの溝と嵌合する突起は、前記他の溝と嵌合する突起とサイズが異なる、
局部洗浄装置。
【請求項３】
請求項２に記載の局部洗浄装置であって、
前記１つの溝は、前記他の溝よりも溝幅が広く、
前記１つの溝と嵌合する突起は、前記他の溝と嵌合する突起よりもサイズが大きい、
局部洗浄装置。
【請求項４】
請求項１ないし３いずれか１項に記載の局部洗浄装置であって、
前記回転体の内周面には、前記複数条の螺旋溝を横切るように軸方向に延びる排水溝を有し、
前記複数条の螺旋溝は、前記ノズルが前記収容位置にあるときに前記排水溝が下側に位置するように形成されている、
局部洗浄装置。
【請求項５】
請求項１ないし４いずれか１項に記載の局部洗浄装置であって、
前記モータの回転軸に取り付けられると共に前記回転ギヤと噛み合う駆動ギヤを備え、
前記回転ギヤおよび前記駆動ギヤは、それぞれ噛み合い位置を指示するマークが付されている、
局部洗浄装置。
【発明の詳細な説明】
【技術分野】
【０００１】
本発明は、回転体の回転により進退が可能なノズルを有する局部洗浄装置に関する。
【背景技術】
【０００２】
従来、この種の局部洗浄装置としては、略洋杯状の弁操作体を含む弁装置本体と、弁操作体内で回動するシリンダと、先端部に洗浄水を噴出可能なノズル孔を有し回動するシリンダ内を摺動するノズル本体と、シリンダ後端の外周部に設けられた外歯の駆動ギヤと、駆動ギヤを回転させる電動機と、を備えるものが提案されている（例えば、特許文献１参照）。この局部洗浄装置では、シリンダの内壁には螺旋形凹溝（螺旋溝）が形成され、ノズル本体の外周部には螺旋形凹溝を摺動する４個の突起が設けられており、電動機でシリンダを回転駆動することで、ノズル本体をシリンダに対して進退させることができる。
【先行技術文献】
【特許文献】
【０００３】
【特許文献１】特開２００１−２７１４０３号公報
【発明の概要】
【発明が解決しようとする課題】
【０００４】
上述した局部洗浄装置では、シリンダとノズル本体とを組み付ける際には、ノズル本体の４個の突起を４条の螺旋溝のうちの各々と嵌合させる必要があるが、４個の突起のそれぞれの嵌合位置がずれると、シリンダとノズル本体との間の位相ずれが生じてしまう。
【０００５】
本発明の局部洗浄装置は、回転体の内周面に設けられた複数条の螺旋溝とノズルの後端部に設けられた複数の突起とが嵌合し、回転体の回転に伴ってノズルが進退移動するものにおいて、回転体とノズルとの位相合わせをより容易にすることを主目的とする。
【課題を解決するための手段】
【０００６】
本発明の局部洗浄装置は、上述の主目的を達成するために以下の手段を採った。
【０００７】
本発明の局部洗浄装置は、
人体の局部を洗浄する局部洗浄装置であって、
内周面に複数条の螺旋溝を有する円筒状の回転体と、
前記回転体に該回転体と同軸に設けられた回転ギヤと、
前記回転ギヤを回転させるモータと、
前記回転体の内部に設けられ、先端部に洗浄水を噴出可能な噴出口を有すると共に後端部に前記複数条の螺旋溝のうち対応する螺旋溝とそれぞれ嵌合する複数の突起を有し、前記回転体の回転に伴って後方の収容位置と前方の進出位置との間で該回転体の軸方向に沿って進退移動が可能なノズルと、
を備え、
前記複数条の螺旋溝のうち少なくとも１つの溝は、他の溝と断面形状が異なり、
前記複数の突起は、それぞれ前記対応する螺旋溝の断面形状に応じた外形形状が与えられている、
ことを要旨とする。
【０００８】
この本発明の局部洗浄装置では、回転体の内周面に設けられた複数条の螺旋溝とノズルの後端部に設けられた複数の突起とが嵌合し、回転体の回転に伴ってノズルが進退移動するものにおいて、複数条の螺旋溝のうち少なくとも１つの溝の断面形状を、他の溝と異ならせ、複数の突起を、それぞれ対応する螺旋溝の断面形状に応じた外形形状とする。これにより、複数条の螺旋溝のうち対応する螺旋溝と嵌合する突起が１つに決まるため、回転体とノズルとが所定位相となるように溝と突起とを形成しておくことで、回転体とノズルとの位相合わせをより容易にすることができる。ここで、「断面形状」には、溝幅や溝の深さ、その他の断面形状（例えば、半円形状や三角形状、矩形形状、台形形状などの断面形状）が含まれる。また、「前記複数条の螺旋溝のうち少なくとも１つの溝は、他の溝と断面形状が異なり」とは、複数条の螺旋溝のうち１つの溝が当該１つの溝以外の他の溝の全てと断面形状が異なり且つ当該他の溝は全て互いに断面形状が同じものの他、複数条の螺旋溝のうち１つの螺旋溝が当該１つの溝以外の他の溝の全てと断面形状が異なると共に他の１つの螺旋溝が当該他の１つの溝以外の他の溝（上記１つの溝を含む）の全てと断面形状が異なるもの、複数条の螺旋溝の全てが互いに断面形状が異なるもの等が含まれる。
【０００９】
こうした本発明の局部洗浄装置において、前記複数条の螺旋溝のうち少なくとも１つの溝は、他の溝と溝幅が異なり、前記複数の突起のうち前記少なくとも１つの溝と嵌合する突起は、前記他の溝と嵌合する突起とサイズが異なるものとしてもよい。この場合、前記１つの溝は、前記他の溝よりも溝幅が広く、前記１つの溝と嵌合する突起は、前記他の溝と嵌合する突起よりもサイズが大きいものとしてもよい。こうすれば、隣り合う螺旋溝のピッチを小さくすることができる。
【００１０】
また、本発明の局部洗浄装置において、前記回転体の内周面には、前記複数条の螺旋溝を横切るように軸方向に延びる排水溝を有し、前記複数条の螺旋溝は、前記ノズルが前記収容位置にあるときに前記排水溝が下側に位置するように形成されているものとしてもよい。こうすれば、複数の突起をそれぞれ対応する螺旋溝に嵌合させることで、ノズルが収容位置にあるときに排水溝が下側に位置し、回転体内に浸入した水を良好に排出することができる。
【００１１】
さらに、本発明の局部洗浄装置において、前記モータの回転軸に取り付けられると共に前記回転ギヤと噛み合う駆動ギヤを備え、前記回転ギヤおよび前記駆動ギヤは、それぞれ噛み合い位置を指示するマークが付されているものとしてもよい。こうすれば、駆動ギヤを組み付ける際の作業性を良好なものとすることができる。
【図面の簡単な説明】
【００１２】
【図１】本実施形態の局部洗浄装置を含む衛生洗浄便座装置１０が取り付けられた便器１の外観斜視図である。
【図２】局部洗浄装置に含まれるノズルユニット２０の外観斜視図である。
【図３】ノズルユニット２０の分解斜視図である。
【図４】ノズル３０の外観斜視図である。
【図５】ノズル３０の側面図およびＡ−Ａ断面図である。
【図６】シリンダ４０を構成する半円筒部材４１，４２の外観斜視図および内周面側の平面図である。
【図７】シリンダ４０を鉛直面で切った断面図および部分拡大図である。
【図８】ケース５０の一部を構成する半円筒部材５２の外観斜視図である。
【図９】半円筒部材５２の前面図，上面図，側面図，下面図および後面図である。
【図１０】ノズルユニット２０を後方から見た外観斜視図および部分拡大図である。
【図１１】ノズル３０が収容位置にある状態のノズルユニット２０の断面図である。
【発明を実施するための形態】
【００１３】
本発明を実施するための形態について図面を参照しながら説明する。
【００１４】
図１は本実施形態の局部洗浄装置を含む衛生洗浄便座装置１０が取り付けられた便器１の外観斜視図であり、図２は局部洗浄装置に含まれるノズルユニット２０の外観斜視図であり、図３はノズルユニット２０の分解斜視図である。便器１は、洋式便器であり、便器１の上面に衛生洗浄便座装置１０が設置されている。衛生洗浄便座装置１０は、図１に示すように、便器１の後方に設置される便座装置本体１２と、便座装置本体１２に回動自在に支持された便座１４と、便座装置本体１２に回動自在に支持された便蓋１６と、使用者により操作される操作パネル１８と、を備える。
【００１５】
便座装置本体１２は、給水管（水道配管）に接続された洗浄水流路、止水弁、熱交換ユニット、洗浄の強さを調整する脈動ポンプ、洗浄水を噴出するノズルユニット２０、切替バルブなどを含む局部洗浄装置を備えており、これらは樹脂製のハウジング内に収容されている。熱交換ユニットは、水タンクやヒータ、温度センサが設けられ、給水管からの水をヒータによって温水にする。
【００１６】
また、便座装置本体１２は、衛生洗浄便座装置１０を制御する図示しない制御装置を備える。制御装置は、操作パネル１８や着座センサ１３（図１参照）、水タンクの温度センサなどからの信号に基づいて、水タンク内のヒータや脈動ポンプ、ノズルユニット２０、切替バルブを制御する。操作パネル１８には、図示しないが、おしり洗浄を指示するおしり用洗浄スイッチやビデ洗浄を指示するビデ用洗浄スイッチ、洗浄の強さを調整するための洗浄強さ調整スイッチ、洗浄位置を前後に調整するための洗浄位置調整スイッチ（前スイッチ，後スイッチ）、洗浄の停止を指示する停止スイッチなどが設けられている。
【００１７】
ノズルユニット２０は、前方に向けて下方に傾斜したノズル３０，シリンダ４０およびケース５０を備える。また、ノズルユニット２０は、ノズル３０を洗浄するためのノズル洗浄器６０も備える。
【００１８】
ノズル３０は、収容位置（図２（ａ）参照）と洗浄位置（図２（ｂ）参照）との間で進退移動すると共に洗浄位置において人体の局部に洗浄水を噴出可能に構成される。図４は、ノズル３０の外観斜視図であり、図５は、ノズル３０の側面図およびＡ−Ａ断面図である。ノズル３０は、後端が開口した略円筒状のノズル本体３１と、ノズル本体３１の先端部に形成された２つのノズル孔３１ａ，３１ｂと、を有する。本実施形態では、ノズル孔３１ａは、おしり洗浄用のノズル孔として構成され、ノズル孔３１ｂは、ビデ洗浄用のノズル孔として構成される。ノズル本体３１の内部には、図示しないが、２つの洗浄水流路が設けられており、一方の洗浄水流路の出口はノズル孔３２ａと連通され、他方の洗浄水流路３８の出口はノズル孔３２ｂと連通されている。２つの洗浄水流路の入口には、それぞれホース２１，２２の一端がノズル本体３１の後端の開口から挿入されて接続され、ホース２１，２２の他端には、切替バルブが接続される。また、ノズル本体３１の後端には、図４および図５に示すように、円筒状のノズルテール３５が取り付けられている。ノズルテール３５の外周面には、３つの小径突起３５ａと、小径突起３５ａよりも大径の１つの大径突起３５ｂとが周方向に等角度間隔で形成されている。また、ノズル本体３１の下面側には、図４（ｂ）に示すように、先端部手前と後端部手前との間で軸方向（進退方向）に延びるガイド溝３１ｃ（凹溝）が形成されている。
【００１９】
シリンダ４０は、前端と後端とが開口した円筒状の回転体であり、ノズル３０を包囲するようにノズル３０の外径よりも若干大きい内径を有する。図６はシリンダ４０を構成する半円筒部材４１，４２の外観斜視図および内周面側の平面図であり、図７はシリンダ４０を鉛直面で切った断面図および部分拡大図である。シリンダ４０は、２つの半円筒部材４１，４２の周方向の端面同士が突き合わされて形成される。半円筒部材４１，４２の外周面には、図３に示すように、半円筒部材４１，４２の周方向の端面同士が突き合わされた状態で環状をなすようにそれぞれ半円状に形成された外周リブ４３が形成されている。また、半円筒部材４１，４２の内周面には、図６および図７に示すように、それぞれシリンダ４０の軸方向に対して傾斜して延びる複数の内周リブ４４が形成されている。複数の内周リブ４４は、半円筒部材４１，４２の周方向の端面同士が突き合わされた状態で、隣接する内周リブ４４間の溝が螺旋状につながる螺旋溝を形成する。螺旋溝は、本実施形態では、３つの小径突起３５ａのうち対応する小径突起３５ａがそれぞれ嵌合する狭い溝幅（図７中、溝幅ｄ１）の３つの幅狭螺旋溝４４ａおよび大径突起３５ｂが嵌合する広い溝幅（図７中、溝幅ｄ２）の１つの幅広螺旋溝４４ｂ、すなわち計４条の螺旋溝が互いに並列に螺旋を描くように形成されている。大径突起３５ｂは、幅狭螺旋溝４４ａには嵌合させることができず、幅広螺旋溝４４ｂにのみ嵌合させることができる。また、複数の内周リブ４４は、図６に示すように、周方向に分割されており、周方向に隣接する内周リブ４４間の溝により排水溝４４ｃを形成する。排水溝４４ｃは、幅狭螺旋溝４４ａおよび幅広螺旋溝４４ｂを横切るようにシリンダ４０の先端の開口縁まで軸方向に延びており、シリンダ４０内に浸入した水を当該シリンダ４０の傾斜により溝に沿って外部へ排出する。
【００２０】
また、半円筒部材４１，４２の後端部の外周面には、図３に示すように、半円筒部材４１，４２の周方向の端面同士が突き合わされた状態で環状をなすように半円状に形成された回転ギヤ４５が設けられている。本実施形態では、回転ギヤ４５は、ケース５０の外径からはみ出さないよう、ケース５０の外径よりも小さな外径を有するように形成されている（図２参照）。回転ギヤ４５はモータ２４の回転軸に取り付けられた駆動ギヤ２５と噛合されており、シリンダ４０は、モータ２４により回転ギヤ４５を回転駆動することで回転ギヤ４５と一体に回転する。シリンダ４０の内周面に形成される幅狭螺旋溝４４ａ，幅広螺旋溝４４ｂには、それぞれノズル３０の後端部の外周面に設けられた小径突起３５ａ，大径突起３５ｂが嵌合し、ノズル３０は、シリンダ４０が回転することにより小径突起３５ａ，大径突起３５ｂが対応する螺旋溝に沿って相対的に移動しながら収容位置と進出位置との間で前後に進退する。
【００２１】
ここで、ノズル３０は、収容位置にあるときに排水溝４４ｃが下側に位置するようにシリンダ４０に対して所定の回転位相に位相合わせされている。本実施形態では、ノズル３０が収容位置にあるときに排水溝４４ｃが下側に位置するように、ノズル３０の大径突起３５ｂとシリンダ４０の幅広螺旋溝４４ｂとの関係を定めるものとした。大径突起３５ｂは幅広螺旋溝４４ｂにしか嵌合できないため、ノズル３０をシリンダ４０に対して所定の回転位相で組み付ける際の誤組み付けを防止することができる。
【００２２】
また、半円筒部材４１，４２は、本実施形態では、外周面を形成する凹型と内周面を形成する凸型との間の空間に樹脂材料を射出注入し、樹脂材料を冷却固化させる射出成形によって形成され、半円筒部材４１，４２には回転ギヤ４５や外周リブ４３、内周リブ４４が一体に形成されている。また、内周リブ４４は、図６および図７に示すように、半円筒部材４１，４２の内周面の周方向における両端部には形成されておらず、射出成形の際の型抜き（凸型の型抜き）をスムーズに行なうことができる。
【００２３】
また、半円筒部材４１，４２の後端部の内周面（回転ギヤ４５の内周面）には、図３および図６に示すように、半円筒部材４１，４２の周方向の端面同士が突き合わされた状態で環状をなすように半円状に形成された係合溝４８が形成されている。係合溝４８には、環状のシリンダテール４９（図３参照）が回転自在に取り付けられている。シリンダテール４９の中央部には、ホース２１，２２が挿通される長円形状の挿通孔４９ａが形成されており、シリンダテール４９の外周部には係合溝４８と係合される係合リブ４９ｂが形成されている。これにより、シリンダテール４９は、シリンダ４０の回転にホース２１，２２を供回りさせることなく支持することができるから、ホース２１，２２の擦れや捻れを抑制し、ホース２１，２２の破損を防止することができる。
【００２４】
ケース５０は、前端と後端とが開口された円筒部材であり、シリンダ４０を包囲してシリンダ４０を回転自在に支持するようにシリンダ４０の外径よりも若干大きな内径を有する。ケース５０は、図３に示すように、２つの半円筒部材５１，５２の周方向の端面同士が突き合わされて形成される。ケース５０の内周面には２つの半円筒部材５１，５２の周方向の端面同士が突き合わされた状態で環状をなすように半円状の内周溝５３が形成されており、内周溝５３には、シリンダ４０の外周リブ４３が嵌合される。本実施形態では、内周溝５３は外周リブ４３の高さよりも浅い深さを有しており、シリンダ５０は、少ない摩擦抵抗で回転自在にケース５０に支持される。また、ケース５０（半円筒部材５２）の後端部の外周面には、径方向に延びる固定板５２ａが一体的に設けられ、固定板５２ａには、モータ２４のハウジングが固定されている。
【００２５】
図８はケース５０の一部を構成する半円筒部材５２の外観斜視図であり、図９は半円筒部材５２の前面図，上面図，側面図，下面図および後面図である。図示するように、ケース５０の下面側の半円筒部材５２には、上方に突出したガイドリブ５４が設けられている。ガイドリブ５４は、ケース５０のシリンダ４０の外周面を支持する支持面よりも先端側に形成されており、ノズル３１のガイド溝３１ｃに嵌合することで、ノズル３１の進退移動をガイドする。これにより、シリンダ４０の回転に伴うノズル３０の供回りが防止される。したがって、本実施形態のノズルユニット２０では、ノズル３０を円筒状に形成することが可能となり、ノズル３０に汚れが付着し難くし、清潔性をより向上させることができる。
【００２６】
ケース５０のガイドリブ５４の両脇には、図９に示すように、下方に向かって筒状に突出した排水孔５５が形成されており、シリンダ４０から排出されてケース５０の先端部に溜まった水を良好に外部（便器１の便鉢内）へ排出することができると共に、ケース５０から排出される水がケース５０の外周面に伝わるのを抑制してケース５０の清潔性を保つことができる。
【００２７】
ノズル洗浄器６０は、ケース５０の先端部の上面に取り付けられ、ノズル３０の上面に向かって洗浄水を噴出する噴出孔を有する。ノズル洗浄器６０には、ホース２３の一端が接続され、ホース２３の他端には、切替バルブが接続される。
【００２８】
切替バルブは、脈動ポンプよりも下流の洗浄水流路の洗浄水の供給先を複数のノズル孔３１ａ，３１ｂとノズル洗浄器６０の噴出孔のいずれから噴出させるかを切り替えるものであり、例えば、モータにより駆動されるロータリバルブとして構成される。
【００２９】
こうして構成された実施形態のノズルユニット２０の組み付けは、以下のようにして行なわれる。すなわち、シリンダテール４９の挿通孔４９ａにホース２１，２２を挿通させてホース２１，２２の一端をノズル３０に接続する。続いて、ノズル３０の小径突起３５ａ，大径突起３５ｂをそれぞれ半円筒部材４１，４２の幅狭螺旋溝４４ａ，幅広螺旋溝４４ｂに嵌合させると共にシリンダテール４９の係合リブ４９ｂを係合溝４８に係合させ、半円筒部材４１，４２を閉じて円筒状のシリンダ４０とする。次に、シリンダ４０の外周リブ４３を半円筒部材５１，５２の内周溝５３に嵌合させ、半円筒部材５１，５２を閉じて円筒状のケース５０とする。そして、モータ２４をケース５０（半円筒部材５２）の固定板５２ａに固定すると共にシリンダ４０の回転ギヤ４５と所定の噛み合い位置で噛み合うようにモータ２４の回転軸に駆動ギヤ２５を圧入してノズルユニット２０が完成する。図１０は、ノズルユニット２０を後方から見た外観斜視図および部分拡大図である。図示するように、駆動ギヤ２５と回転ギヤ４５には、それぞれの指定の噛み合い歯にマークＭ１，Ｍ２が付されている。これにより、作業者は、噛み合い位置を把握することができ、駆動ギヤ２５の組み付け作業を容易に行なうことができる。
【００３０】
次に、衛生洗浄便座装置１０（局部洗浄装置のノズルユニット２０）の動作について説明する。衛生洗浄便座装置１０の制御装置は、着座センサ１３により使用者が便座１４に着座していると判定し、かつ、操作パネル１８のおしり用洗浄スイッチが押下されておしり洗浄の開始が指示されたと判定すると、モータ２４により駆動ギヤ２５と噛合する回転ギヤ４５を回転させて、シリンダ４０を回転させる。シリンダ４０が回転すると、ノズル３０に設けられた複数のリブ３５がシリンダ４０の内周面に形成された螺旋溝４４ａに沿って相対的に移動し、ノズル３０はおしり洗浄用の洗浄位置に向かって進出する。ノズル３０が洗浄位置に到達すると、制御装置は、ノズル３０のノズル孔３２ａに脈動ポンプからの洗浄水がホース２１を介して供給されるよう切替バルブ（モータ）を制御する。これにより、ノズル孔３２ａから人体の肛門部に向かって洗浄水が噴出され、おしり洗浄が開始される。制御装置は、操作パネル１８の停止スイッチが押下されて、おしり洗浄の停止が指示されたと判定すると、ノズル３０への給水を停止する。そして、モータ２４により回転ギヤ４５を逆回転させて、ノズル３０を収容位置に向かって後退させ、シリンダ４０内に収容させる。制御装置は、ノズル３０が洗浄位置から収容位置へ向かう途中または収容位置に到達したときに、ノズル洗浄器６０からノズル３０に向かって洗浄水が噴出されるよう切替バルブ（モータ）を制御し、ノズル３０を洗浄する。
【００３１】
また、制御装置は、着座センサ１３により使用者が便座１４に着座していると判定し、かつ、操作パネル１８のビデ用洗浄スイッチが押下されてビデ洗浄の開始が指示されたと判定すると、モータ２４によりシリンダ４０を回転させ、ノズル３０をビデ洗浄用の洗浄位置に向かって進出させる。ノズル３０が洗浄位置に到達すると、制御装置は、ノズル３０のノズル孔３２ｂに脈動ポンプからの洗浄水がホース２２を介して供給されるよう切替バルブ（モータ）を制御する。これにより、ノズル孔３２ｂから人体のビデ部に向かって洗浄水が噴出され、ビデ洗浄が開始される。制御装置は、操作パネル１８の停止スイッチが押下されてビデ洗浄の停止が指示されたと判定すると、ノズル３０への給水を停止する。そして、モータ２４により回転ギヤ４５を逆回転させて、ノズル３０を収容位置に向かって後退させ、シリンダ４０内に収容させる。制御装置は、ノズル３０が洗浄位置から収容位置へ向かう途中または収容位置に到達したときに、ノズル洗浄器６０からノズル３０に向かって洗浄水が噴出されるよう切替バルブ（モータ）を制御し、ノズル３０を洗浄する。
【００３２】
ノズル３０には、局部洗浄やノズル洗浄器６０によるノズル洗浄等によって外周面に水が付着し、ノズル３０がシリンダ４０内へ収容される際に、付着した水がシリンダ４０の内部に浸入する場合がある。シリンダ４０内に水が浸入すると、シリンダ４０の回転に伴って螺旋溝４４ａを摺動するリブ３５により浸入した水がシリンダ４０の後方に送り出され、シリンダ４０の後端の開口から漏れ出て、局部洗浄装置の故障の原因となる虞がある。また、シリンダ４０内に水が浸入すると、螺旋溝４４ａを摺動するリブ３５の摺動抵抗が増加し、モータ２４が負荷が増大する虞もある。本実施形態では、シリンダ４０の内周面に、螺旋溝（幅狭螺旋溝４４ａ，幅広螺旋溝４４ｂ）を横切るように軸方向に延びる排水溝４４ｃを形成すると共に、ノズル３０が収容位置にあるときに排水溝４４ｃが下側に位置するように幅狭螺旋溝４４ａ，幅広螺旋溝４４ｂにそれぞれ小径突起３５ａ，大径突起３５ｂをそれぞれ嵌合させることで（図１１参照）、ノズル３０とシリンダ４０とを位相合わせしたから、シリンダ４０内に水が浸入しても、浸入した水をノズル３０の収容時にシリンダ４０の傾斜により排水溝４４ｃに沿って排出することができる。したがって、本実施形態のノズルユニット２０では、シリンダ４０内への水の浸入に伴う上述した不具合は生じない。
【００３３】
以上説明した実施形態の局部洗浄装置では、シリンダ４０の内周面に設けられた複数条の螺旋溝（幅狭螺旋溝４４ａ，幅広螺旋溝４４ｂ）とノズル３０の後端部に設けられた複数の突起（小径突起３５ａ，大径突起３５ｂ）とが嵌合し、シリンダ４０の回転に伴ってノズル３０が進退移動するものにおいて、複数条の螺旋溝のうち１つの溝（幅広螺旋溝４４ｂ）の溝幅を、他の溝（幅狭螺旋溝４４ａ）よりも広くし、複数の突起のうち上記１つの溝（幅広螺旋溝４４ｂ）と嵌合する突起（大径突起３５ｂ）のサイズを、上記他の溝（幅狭螺旋溝４４ａ）と嵌合する突起（小径突起３５ａ）よりも大きくする。これにより、複数条の螺旋溝のうち対応する螺旋溝と嵌合する突起が１つに決まるため、回転体とノズルとの位相合わせをより容易にすることができる。
【００３４】
また、本実施形態の局部洗浄装置では、シリンダ４０の内周面に、複数条の螺旋溝（幅狭螺旋溝４４ａ，幅広螺旋溝４４ｂ）を横切るように軸方向に延びる排水溝４４ｃを形成し、複数条の螺旋溝を、ノズル３０が収容位置にあるときに排水溝４４ｃが下側に位置するように形成する。これにより、複数の突起（小径突起３５ａ，大径突起３５ｂ）をそれぞれ対応する螺旋溝に嵌合させることで、ノズル３０が収容位置にあるときに排水溝４４ｃが下側に位置するようノズル３０とシリンダ４０とが位相合わせされ、シリンダ４０内に浸入した水を良好に排出することができる。
【００３５】
さらに、本実施形態の局部洗浄装置では、モータ２４の回転軸に取り付けられる駆動ギヤ２５と駆動ギヤ２５に噛み合う回転ギヤ４５とには、それぞれ噛み合い位置を指示するマークＭ１，Ｍ２が付される。これにより、駆動ギヤ２５の組み付ける際の作業性をより良好なものとすることができる。
【００３６】
実施形態では、シリンダ４０の外周面に環状の外周リブ４３を形成し、ケース５０の内周面に外周リブ４３に嵌合される環状の内周溝５３を形成するものとしたが、シリンダ４０の外周面に外周溝を形成し、ケース５０の内周面に外周溝に嵌合する内周リブを形成してもよい。リブは、必ずしも環状に形成されたものに限られず、円弧状に形成されてもよく、溝と嵌合可能であれば如何なる形状であってもよい。
【００３７】
実施形態では、複数条の螺旋溝として、シリンダ４０の内周面に複数（３つ）の幅狭螺旋溝４４ａと１つの幅広螺旋溝４４ｂを設け、複数の突起として、ノズル３０の後端部の外周面にそれぞれ対応する螺旋溝と嵌合する複数（３つ）の小径突起３５ａと１つの大径突起３５ｂとを設けるものとしたが、これに限定されるものではない。すなわち、シリンダ４０の内周面に複数（３つ）の幅広螺旋溝と１つの幅狭螺旋溝を設け、ノズル３０の後端の外周面にそれぞれ対応する螺旋溝と嵌合する複数（３つ）の大径突起と１つの小径突起とを設けるものとしてもよい。
【００３８】
また、４条の螺旋溝と、対応する螺旋溝にそれぞれ嵌合する４つの突起とを有するものに限られず、２条や３条などの他の複数条の螺旋溝と、対応する螺旋溝にそれぞれ嵌合する２つや３つの他の複数の突起とを有するものであってもよい。
【００３９】
実施形態では、複数条の螺旋溝として、幅狭螺旋溝４４ａと幅広螺旋溝４４ｂとを設けるもの、すなわち複数条の螺旋溝の溝幅を異ならせるものとしたが、これに限られず、溝の深さを異ならせてもよいし、その他の断面形状（例えば、半円形状や三角形状、矩形形状、台形形状などの断面形状）を異ならせてもよい。この場合、溝幅、溝の深さ、その他の断面形状のうちのいずれか２つを異ならせるものや全てを異ならせるものなど、少なくも１つを異ならせるものであればよい。また、螺旋溝に嵌合させる突起は、例えば、溝の深さが他の螺旋溝よりも深い螺旋溝に嵌合させる突起の高さを他の突起よりも高くし、断面形状が半円状の螺旋溝に嵌合させる突起を半球状とするなど、対応する螺旋溝の断面形状に応じた外形形状が与えられているものとすればよい。このように、少なくとも１つの螺旋溝が他の螺旋溝と断面形状が異なる複数条の螺旋溝と、当該複数条の螺旋溝のうち対応する螺旋溝の断面形状に応じた外形形状がそれぞれ与えられた複数の突起とを有するものであってもよい。
【００４０】
また、実施形態では、複数条の螺旋溝のうち１つの溝（幅広螺旋溝４４ｂ）が当該１つの溝以外の他の溝（幅狭螺旋溝４４ａ）の全てと断面形状が異なり且つ当該他の溝は全て互いに断面形状が同じものとしたが、これに限られず、複数条の螺旋溝のうち１つの螺旋溝が当該１つの溝以外の他の溝の全てと断面形状が異なると共に他の１つの螺旋溝が当該他の１つの溝以外の他の溝（上記１つの溝を含む）の全てと断面形状が異なるものとしてもよいし、複数条の螺旋溝の全てが互いに断面形状が異なるものとしてもよい。すなわち、少なくとも１つの螺旋溝が他の螺旋溝と断面形状が異なるものでればよい。
【００４１】
実施形態では、シリンダ４０と同軸に回転するようにシリンダ４０の後端部の外周面に外歯の回転ギヤ４５を設けるものとしたが、これに限定されるものではなく、シリンダ４０の後端面にシリンダ４０と同軸に回転するようにフェースギヤなどの環状のかさ歯車を設け、回転軸に取り付けられる駆動ギヤがかさ歯車と噛合するようにモータを配置するものとしてもよい。
【００４２】
実施形態では、シリンダ４０は、２つの半円筒部材４１，４２により形成されるものとしたが、これに限定されるものではなく、単一の円筒部材により形成されてもよいし、３つ以上の円弧状に湾曲した部材により形成されてもよい。
【００４３】
実施形態では、ケース５０の排出孔５５は、貫通孔により形成されたが、先端部の端縁から切り欠かれた切り欠き部により形成されてもよい。
【００４４】
実施形態では、ノズル３０に２つのホース２１，２２を接続し、対応するホースからの洗浄水を噴出する２つのノズル孔３１ａ，３１ｂをそれぞれおしり洗浄用とビデ洗浄用として用いるものとしたが、それぞれおしりパワフル洗浄用とおしりマイルド洗浄用として用いる等、他の異なる用途に用いるものであってもよい。また、用途ごとにノズル（ノズルユニット）を別々に備えるものとしてもよい。この場合、上述したように、シリンダ４０の後端部に設けられる回転ギヤ５４がケース５０の外径からはみ出さないよう、回転ギヤ５４の外径をケース５０の外径よりも小さくしているため、複数のノズルユニットを並べて配置する場合であっても、ユニット全体をよりコンパクトにすることができる。
【００４５】
実施形態の主要な要素と課題を解決するための手段の欄に記載した発明の主要な要素との対応関係について説明する。実施形態では、シリンダ４０が「回転体」に相当し、回転ギヤ４５が「回転ギヤ」に相当し、複数の幅狭螺旋溝４４ａおよび１つの幅広螺旋溝４４ｂが「複数条の螺旋溝」に相当し、モータ２４が「モータ」に相当し、ノズル３０が「ノズル」に相当し、複数の小径突起３５ａおよび１つの大径突起３５ｂが「複数の突起」に相当し、幅広螺旋溝４４ｂが「少なくとも１つの溝」に相当する。
【００４６】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４７】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４８】
本発明は、局部洗浄装置の製造産業などに利用可能である。
【符号の説明】
【００４９】
１  便器、１０  衛生洗浄便座装置、１２  便座装置本体、１３  着座センサ、１４  便座、１６  便蓋、１８  操作パネル、２０  ノズルユニット、２１，２２  ホース、２４  モータ、２５  駆動ギヤ、３０  ノズル、３１  ノズル本体、３１ａ，３１ｂ  ノズル孔、３１ｃ  ガイド溝、３５  ノズルテール、３５ａ  小径突起、３５ｂ  大径突起、４０  シリンダ、４１，４２  半円筒部材、４３  外周リブ、４４  内周リブ、４４ａ  幅狭螺旋溝、４４ｂ  幅広螺旋溝、４４ｃ  排水溝、４５  回転ギヤ、４８  係合溝、４９  シリンダテール、４９ａ  挿通孔、４９ｂ  係合リブ、５０  ケース、５１，５２  半円筒部材、５２ａ  固定板、５３  内周溝、５４  ガイドリブ、５５  排水孔、６０  ノズル洗浄器。
【図１】
2019148086.tif 000003
【図２】
2019148086.tif 000004
【図３】
2019148086.tif 000005
【図４】
2019148086.tif 000006
【図５】
2019148086.tif 000007
【図６】
2019148086.tif 000008
【図７】
2019148086.tif 000009
【図８】
2019148086.tif 000010
【図９】
2019148086.tif 000011
【図１０】
2019148086.tif 000012
【図１１】
2019148086.tif 000013